(57)【要約】【課題】  実際の商品の外観を知ることができるレシートを発行する装置の提供。【解決手段】  販売商品の商品コードに対応して当該販売商品の商品名と当該販売商品そのものの商品画像とを記憶している商品記憶部（３１）と、購入商品の商品コードを入力され、前記購入商品の商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出し、読み出された商品名及び読み出された商品が印刷されたレシートを発行する発行部（１、２、４）とを有することを特徴とするレシート発行装置。【選択図】    図１
2005165550.tif 000002
【特許請求の範囲】
【請求項１】
販売商品の商品コードに対応して当該販売商品の商品名と当該販売商品そのものの商品画像とを記憶している商品記憶部と、
購入商品の商品コードを入力され、前記購入商品の商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出し、読み出された商品名及び読み出された商品が印刷されたレシートを発行する発行部とを有することを特徴とするレシート発行装置。
【請求項２】
請求項１に記載のレシート発行装置において、
前記発行部は、入力装置と、処理装置と、出力装置とを有し、
前記入力装置は、前記購入商品の商品コードを入力商品コードとして前記処理装置に入力し、
前記処理装置は、前記入力商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出し、前記出力装置に、読み出された商品名及び読み出された商品が印刷されたレシートを発行させることを特徴とするレシート発行装置。
【請求項３】
請求項１または２に記載のレシート発行装置において、
前記商品記憶部は、前記販売商品そのものの商品画像として、前記販売商品そのもののビットマップファイル画像を記憶していることを特徴とするレシート発行装置。
【請求項４】
請求項１または２に記載のレシート発行装置において、
前記商品記憶部は、前記販売商品そのものの商品画像として、前記販売商品そのもののデジタル写真画像を記憶していることを特徴とするレシート発行装置。
【請求項５】
複数の販売商品の商品コードに対応して当該複数の販売商品の商品名と当該複数の販売商品そのものの商品画像とを記憶している商品記憶部と、
購入商品の商品コードを入力され、前記購入商品の商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出し、読み出された商品名及び読み出された商品が印刷されたレシートを発行する発行部とを有することを特徴とするレシート発行装置。
【請求項６】
請求項５に記載のレシート発行装置において、
前記発行部は、入力装置と、処理装置と、出力装置とを有し、
前記入力装置は、前記購入商品の商品コードを入力商品コードとして前記処理装置に入力し、
前記処理装置は、前記入力商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出し、前記出力装置に、読み出された商品名及び読み出された商品が印刷されたレシートを発行させることを特徴とするレシート発行装置。
【請求項７】
請求項５または６に記載のレシート発行装置において、
前記商品記憶部は、前記複数の販売商品そのものの商品画像として、前記複数の販売商品そのもののビットマップファイル画像を記憶していることを特徴とするレシート発行装置。
【請求項８】
請求項５または６に記載のレシート発行装置において、
前記商品記憶部は、前記複数の販売商品そのものの商品画像として、前記複数の販売商品そのもののデジタル写真画像を記憶していることを特徴とするレシート発行装置。
【請求項９】
販売商品の商品コードに対応して当該販売商品の商品名と当該販売商品そのものの商品画像とを商品記憶部に記憶させるステップと、
購入商品の商品コードを入力され、前記購入商品の商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出すステップと、
前記読み出された商品名及び前記読み出された商品が印刷されたレシートを発行するステップとを有することを特徴とするレシート発行方法。
【請求項１０】
請求項９に記載のレシート発行方法において、
前記販売商品そのものの商品画像が、前記販売商品そのもののビットマップファイル画像或いは前記販売商品そのもののデジタル写真画像であることを特徴とするレシート発行方法。
【請求項１１】
複数の販売商品の商品コードに対応して当該複数の販売商品の商品名と当該複数の販売商品そのものの商品画像とを商品記憶部に記憶させるステップと、
購入商品の商品コードを入力され、前記購入商品の商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出すステップと、
前記読み出された商品名及び前記読み出された商品が印刷されたレシートを発行するステップとを有することを特徴とするレシート発行方法。
【請求項１２】
請求項１１に記載のレシート発行方法において、
前記複数の販売商品そのものの商品画像が、前記複数の販売商品そのもののビットマップファイル画像或いは前記複数の販売商品そのもののデジタル写真画像であることを特徴とするレシート発行方法。
【発明の詳細な説明】
【技術分野】
【０００１】
本発明は、店舗等で商品を購入した際に店舗等に支払う代金の領収書であるレシートを発行するレシート発行装置に関する。
【背景技術】
【０００２】
店舗、店頭などで商品を購入した際、従来のレシート発行装置では、レシートに印刷される商品の情報としては、購入した商品の名前、値段などであった。
【０００３】
他方、特許文献１には、購入した商品の種別が“おにぎり  うめ”であった場合、レシートに、主要部を表わす商品グラフィックイメージ（例えば、“おにぎりの図形”）と、その一部を表わす属性（例えば、“うめ”）を印字する商品販売登録データ処理装置が開示されている。
【特許文献１】特開平９−３３０４７３号公報
【発明の開示】
【発明が解決しようとする課題】
【０００４】
しかしながら、商品グラフィックイメージは、商品そのものの画像ではないので、レシートを見ても実際の商品の外観を知ることはできない。従って、例えば靴を購入し、購入後、箱に保管しておくときにレシートを貼っておいて箱を開けずに中身を判断するといったことはできない。
【０００５】
本発明の目的は、レシートを見て実際の商品の外観を知ることができるようなレシートを発行するレシート発行装置及びレシート発行方法を提供することにある。
【課題を解決するための手段】
【０００６】
本発明によれば、
販売商品の商品コードに対応して当該販売商品の商品名と当該販売商品そのものの商品画像とを記憶している商品記憶部と、
購入商品の商品コードを入力され、前記購入商品の商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出し、読み出された商品名及び読み出された商品が印刷されたレシートを発行する発行部とを有することを特徴とするレシート発行装置が得られる。
【０００７】
更に、本発明によれば、
複数の販売商品の商品コードに対応して当該複数の販売商品の商品名と当該複数の販売商品そのものの商品画像とを記憶している商品記憶部と、
購入商品の商品コードを入力され、前記購入商品の商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出し、読み出された商品名及び読み出された商品が印刷されたレシートを発行する発行部とを有することを特徴とするレシート発行装置が得られる。
【０００８】
更に、本発明によれば、
販売商品の商品コードに対応して当該販売商品の商品名と当該販売商品そのものの商品画像とを商品記憶部に記憶させるステップと、
購入商品の商品コードを入力され、前記購入商品の商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出すステップと、
前記読み出された商品名及び前記読み出された商品が印刷されたレシートを発行するステップとを有することを特徴とするレシート発行方法が得られる。
【０００９】
更に、本発明によれば、
複数の販売商品の商品コードに対応して当該複数の販売商品の商品名と当該複数の販売商品そのものの商品画像とを商品記憶部に記憶させるステップと、
購入商品の商品コードを入力され、前記購入商品の商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出すステップと、
前記読み出された商品名及び前記読み出された商品が印刷されたレシートを発行するステップとを有することを特徴とするレシート発行方法が得られる。
【発明の効果】
【００１０】
本発明によれば、購入した商品の画像をレシートに印刷することで何を購入したのか、判断し易くなる。
【００１１】
本発明は、商品の画像そのものを印字するので、レシートを見て実際の商品の外観を知ることができ、例えば、靴を購入し、購入後、箱に保管しておくときにレシートを貼っておいて箱を開けずに中身を判断するといったことが可能である。
【００１２】
また、商品の画像をカラーで印刷するようにすれば、例えば、洋服を購入し、次にそれに合わせた靴を購入しようとした場合、レシートを見るだけで購入した洋服がどのようなものであったかがわかり、それに合わせて靴を購入することができる。
【発明を実施するための最良の形態】
【００１３】
次に本発明の実施例について図面を参照して説明する。
【００１４】
本発明の特徴は、店内商品の画像をあらかじめデータベースに保存しておくことで、購入した商品に応じてレシートに画像が印刷できることにある。
【００１５】
図１を参照すると、本発明の一実施例によるレシート発行装置は、例えば、ＰＯＳ(point of sales)端末であって、キーボード等の入力装置１と、プログラム制御により動作するデータ処理装置２と、情報を記憶する記憶装置３と、印刷装置等の出力装置４とを含む。
【００１６】
入力装置１を用いて、購入した商品の情報（商品コード）をデータ処理装置２に入力する。
【００１７】
データ処理装置２は、画像検索部２１を備えている。
【００１８】
画像検索部２１は、入力装置１から与えられた商品の情報を探索して検索する。
【００１９】
記憶装置３は、商品記憶部３１を備えている。
【００２０】
商品記憶部３１は、販売される商品の画像をあらかじめ記憶している。
【００２１】
画像処理部２１から検索された結果の画像を、出力装置４から出力する。
【００２２】
次に、図２を参照して、図１のレシート発行装置の動作について詳細に説明する。
【００２３】
入力装置１から与えられた入力情報は、画像検索部２１に供給され、商品登録される。（図２のステップＡ１）。画像検索部２１は、この入力情報と同じ情報の画像が商品記憶部３１に記憶されているかどうかを調べる。締め操作が終了するまで商品登録を繰り返し、締め操作が終了した後（ステップＡ２）、会計処理（ステップＡ３）を行い、商品名（価格も含む）等をレシートに印字する（ステップＡ４）。そして、商品記憶部３１から入力情報と同じ画像を検索し、対応する画像情報を読み出し（ステップＡ５）、出力装置４に与え商品画像を前述のレシートに印刷する（ステップＡ６）。
【００２４】
図３を参照すると、商品記憶部３１には、商品コードに対応して、商品名及び商品画像が記憶されている。商品記憶部３１には、例えば、商品コード１００１には、商品名としてシューズ０１(shoes01)及びその価格（図示略）が対応して記憶されると共に、商品画像としてシューズ０１のビットマップファイル(shoes01.bmp)が対応して記憶されている。更に、商品記憶部３１には、例えば、商品コード１１０１には、商品名としてシャツ０１(shirt01)及びその価格（図示略）が対応して記憶されると共に、商品画像としてシャツ０１のビットマップファイル(shirt01.bmp)が対応して記憶されている。
【００２５】
図１において、画像検索部２１が商品記憶部３１から商品名（価格も含む）及び商品画像を検索する方法は、登録した商品コードを基に該商品コードに対応した商品名（価格も含む）及び商品画像を抽出する方法を用いている。
【００２６】
好ましくは、画像検索部２１において検索され抽出された商品名（価格も含む）及び商品画像は、商品毎に、レシートに、互いに対応して印刷される。
【００２７】
なお、商品記憶部３１には、商品画像としてデジタルカメラによるデジタル写真画像が記憶されても良い。
【００２８】
以上のように、上述した実施例では、購入した商品に対して、あらかじめ登録しておいた画像を検索しレシートに印刷すると言うように構成されているため、レシートを見て実際の商品の外観を知ることができる。
【００２９】
まとめると、上述した実施例の効果は、以下のとおりである。
【００３０】
第１の効果は、レシートを見て何を買ったか画像を見て判断できることにある。
【００３１】
第２の効果は、例えば靴など箱に入った商品を購入したとき、レシートに印刷された画像の部分を箱に張っておくことで、何が入っているか中身を確認せずに判断できることにある。
【００３２】
第３の効果は、例えば商品の画像をカラーで印刷するようにすれば、洋服を購入した際、次にそれにあわせた靴を購入しようとした場合、レシートを見るだけで購入した洋服がどのようなものであったかが分かり、それにあわせて靴を購入することができることにある。
【００３３】
図１をまとめると、本発明の実施の態様は以下のとおりである。
【００３４】
（１）  販売商品の商品コードに対応して当該販売商品の商品名と当該販売商品そのものの商品画像とを記憶している商品記憶部（３１）と、
購入商品の商品コードを入力され、前記購入商品の商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出し、読み出された商品名及び読み出された商品が印刷されたレシートを発行する発行部（１、２、４）とを有することを特徴とするレシート発行装置。
【００３５】
（２）  上記（１）に記載のレシート発行装置において、
前記発行部は、入力装置（１）と、処理装置（２）と、出力装置（４）とを有し、
前記入力装置は、前記購入商品の商品コードを入力商品コードとして前記処理装置に入力し、
前記処理装置は、前記入力商品コードが前記商品記憶部に記憶されている前記販売商品の商品コードに一致すると、前記商品記憶部から当該販売商品の商品名及び当該販売商品そのものの商品画像を、読み出された商品名及び読み出された商品画像として読み出し、前記出力装置に、読み出された商品名及び読み出された商品が印刷されたレシートを発行させることを特徴とするレシート発行装置。
【００３６】
（３）  複数の販売商品の商品コードに対応して当該複数の販売商品の商品名と当該複数の販売商品そのものの商品画像とを記憶している商品記憶部（３１）と、
購入商品の商品コードを入力され、前記購入商品の商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出し、読み出された商品名及び読み出された商品が印刷されたレシートを発行する発行部（１、２、４）とを有することを特徴とするレシート発行装置。
【００３７】
（４）  上記（３）に記載のレシート発行装置において、
前記発行部は、入力装置（１）と、処理装置（２）と、出力装置（４）とを有し、
前記入力装置は、前記購入商品の商品コードを入力商品コードとして前記処理装置に入力し、
前記処理装置は、前記入力商品コードが前記商品記憶部に記憶されている前記複数の販売商品の商品コードの一つに一致すると、前記商品記憶部から、前記複数の販売商品の商品コードの前記一つに対応した前記販売商品の商品名及び前記販売商品そのものの商品画像を、読み出された商品名及び読み出された商品画像として読み出し、前記出力装置に、読み出された商品名及び読み出された商品が印刷されたレシートを発行させることを特徴とするレシート発行装置。
【図面の簡単な説明】
【００３８】
【図１】本発明の一実施例によるレシート発行装置のブロック図である。
【図２】図１に示したレシート発行装置の動作を説明するためのフローチャートである。
【図３】図１に示したレシート発行装置の商品記憶部の内部を説明するための図である。
【符号の説明】
【００３９】
１    入力装置
２    データ処理装置
３    記憶装置
４    出力装置
２１    画像検索部
３１    商品記憶部
【図１】
2005165550.tif 000003
【図２】
2005165550.tif 000004
【図３】
2005165550.tif 000005